(57)【要約】【課題】ヒケが目立たず、外観意匠性に優れたインストルメントパネルの意匠面を得ることができるインストルメントパネルへの補強部材取付構造を提供すること。【解決手段】車両のインストルメントパネル１に、フランジ部２１を有する補強部材２を固定してなる補強部材取付構造。インストルメントパネル１は、その裏側面１２に突出形成されたリブ部３及びビス留め用のボス部４を有する。補強部材２のフランジ部２１は、ボス部４に締結するビスを挿通させるビス穴と、リブ部３を挿通させるリブ穴とを有する。リブ部３をリブ穴に通すことによるリブ係合と、ビス穴に通したビスをボス部４に螺合させることによるビス留めとによって、補強部材２をインストルメントパネル１に固定してある。【選択図】図１
2005193821.tif 000002
【特許請求の範囲】
【請求項１】
車両のインストルメントパネルに、フランジ部を有する補強部材を固定してなる補強部材取付構造において、
上記インストルメントパネルは、その裏側面に突出形成されたリブ部及びビス留め用のボス部を有し、
上記補強部材のフランジ部は、上記ボス部に締結するビスを挿通させるビス穴と、上記リブ部を挿通させるリブ穴とを有し、
上記リブ部を上記リブ穴に通すことによるリブ係合と、上記ビス穴に通した上記ビスを上記ボス部に螺合させることによるビス留めとによって、上記補強部材を上記インストルメントパネルに固定してなることを特徴とするインストルメントパネルへの補強部材取付構造。
【請求項２】
請求項１において、上記リブ部及びボス部は、上記インストルメントパネルに対して傾斜していることを特徴とするインストルメントパネルへの補強部材取付構造。
【請求項３】
請求項１または２において、上記リブ部は断面略十字形状を有することを特徴とするインストルメントパネルへの補強部材取付構造。
【発明の詳細な説明】
【技術分野】
【０００１】
本発明は、車両のインストルメントパネルにフランジ部を有する補強部材を固定してなる、インストルメントパネルへの補強部材取付構造に関する。
【背景技術】
【０００２】
従来より、図８、図９に示すごとく、車両のインストルメントパネル９１の裏面に部材を固定する構造として、例えば、フランジ部９２１を有する空調ダクト９２を固定してなるダクト取付構造がある（特許文献１参照）。
該従来のインストルメントパネルへのダクト取付構造は、上記フランジ部９２１においてビス留めすることにより、上記空調ダクト９２を上記インストルメントパネル９１に固定してなる。
それ故、上記インストルメントパネル９１の裏側面９１２には、ビス９５を螺合させるためのボス部９４が、多数、突出形成されている。
【０００３】
しかしながら、図９に示すごとく、上記インストルメントパネル９１の裏側面９１２に、多数の上記ボス部９４を突出形成すると、これに起因して多数のヒケ９６が意匠面９１１に発生するという問題がある。上記ヒケ９６は、その発生量、発生位置によっては、インストルメントパネル９１の外観を損ねる要因となる。
【０００４】
この問題に対して、図１０に示すごとく、インストルメントパネル９１の裏側面９１２における上記ボス部９４の根元周辺に、インストルメントパネル９１の厚みを部分的に小さくする肉盗み部９１３を形成する手段が考えられる。これにより、上記ボス部９４の配設位置における意匠面９１１のヒケ９６の発生を、ある程度抑制することができる。
【０００５】
しかし、ヒケ９６の発生を防止してインストルメントパネル９１の意匠面９１１の外観を維持するためには、上記肉盗み部９１３の大きさや形状等の微妙な調整が必要である。そのために、成形金型をチューニングする必要があり、製造コストが高くなる。特に上記ボス部９４の数が多いと、その分、チューニングが困難となり、製造コストが高くなる。
【０００６】
また、チューニングした後にインストルメントパネル９１を量産した場合にも、他の種々の条件の変化によりヒケ９６が再発するおそれもある。
このような問題は、空調ダクトに限らず、補強部材等、種々の部材をインストルメントパネルに取付ける場合に生じるおそれがある。
【０００７】
【特許文献１】実開平０６−０４２１３４号公報
【発明の開示】
【発明が解決しようとする課題】
【０００８】
本発明は、かかる従来の問題点に鑑みてなされたもので、ヒケが目立たず、外観意匠性に優れたインストルメントパネルの意匠面を得ることができるインストルメントパネルへの補強部材取付構造を提供しようとするものである。
【課題を解決するための手段】
【０００９】
本発明は、車両のインストルメントパネルに、フランジ部を有する補強部材を固定してなる補強部材取付構造において、
上記インストルメントパネルは、その裏側面に突出形成されたリブ部及びビス留め用のボス部を有し、
上記補強部材のフランジ部は、上記ボス部に締結するビスを挿通させるビス穴と、上記リブ部を挿通させるリブ穴とを有し、
上記リブ部を上記リブ穴に通すことによるリブ係合と、上記ビス穴に通した上記ビスを上記ボス部に螺合させることによるビス留めとによって、上記補強部材を上記インストルメントパネルに固定してなることを特徴とするインストルメントパネルへの補強部材取付構造にある（請求項１）。
【００１０】
次に、本発明の作用効果につき説明する。
上記補強部材取付構造においては、上記リブ係合と上記ビス留めとの双方によって、上記インストルメントパネルに補強部材を固定しており、上記インストルメントパネルには、ボス部とリブ部とを突出形成してある。
【００１１】
上記ボス部は、上記ビスを螺合させる必要上、ある程度大きい断面積を有する必要があるが、リブ部は、ビスを螺合させる必要がないため、比較的断面積を小さくすることができる。そのため、上記リブ部については、断面積を小さくすることにより、インストルメントパネルの意匠面におけるヒケの発生を抑制することができる。
【００１２】
上述のごとく、上記補強部材取付構造においては、上記リブ係合と上記ビス留めとの双方を利用しているため、上記インストルメントパネルに形成するボス部の数を少なくすることができる。即ち、ヒケの発生の要因となり易いボス部の数を少なくすることができる。
【００１３】
そして、例えば、上記インストルメントパネルにおける比較的目立ち難い部分の裏側面を選択して、上記ボス部を配置することにより、ヒケの目立たないインストルメントパネルの意匠面を得ることができる。
また、例えば、上記ボス部の根元周辺にインストルメントパネルの厚みを部分的に小さくする肉盗み部を形成することにより、ヒケの抑制を図ることもできる。この場合、上記ボス部の数が少ないため、肉盗み部の形成のためのチューニング等が比較的容易である。
【００１４】
また、リブ係合とビス留めとを併用しているため、例えば上記補強部材における、特に大きな固定力が必要な部分に上記ビス留めを行うことにより、強度の高いインストルメントパネルへの補強部材取付構造を得ることができる。
【００１５】
以上のごとく、本発明によれば、ヒケが目立たず、外観意匠性に優れたインストルメントパネルの意匠面を得ることができるインストルメントパネルへの補強部材取付構造を提供することができる。
【発明を実施するための最良の形態】
【００１６】
本発明（請求項１）において、上記リブ部は、上記インストルメントパネルにおいて比較的剛性の高い部位、或いは、目立ちやすい部位の裏側面に配設してあることが好ましい。一方、上記ボス部は、上記インストルメントパネルにおいて比較的剛性の低い部位、或いは、目立ち難い部位の裏側面に配設してあることが好ましい。
これにより、外観意匠性に優れたインストルメントパネルの意匠面を得ると共に、強度の高いインストルメントパネルへの補強部材取付構造を提供することができる。
【００１７】
また、上記ボス部の配設数量は、上記補強部材取付構造の強度を確保するために必要最小限とすることが好ましい。
上記補強部材は、インストルメントパネルを補強するための部材である。また、該補強部材は、例えば空調ダクトの一部を構成するものとすることができる。
【００１８】
また、上記リブ部及びボス部は、上記インストルメントパネルに対して傾斜していることが好ましい（請求項２）。
この場合には、上記リブ係合によって、上記インストルメントパネルに垂直な方向の荷重に対する強度を高くすることができる。
【００１９】
また、上記リブ部及びボス部は、全て互いに平行に形成されていることが好ましい。この場合には、成形時における脱型作業が容易となり、上記インストルメントパネルの成形を比較的容易に行うことができる。また、上記インストルメントパネルへの補強部材の取付作業を比較的容易に行うことができる。
【００２０】
また、上記リブ部及びボス部の上記インストルメントパネルに対する角度は、７〜４５°とすることが好ましい。この場合には、ヒケの発生を充分に抑制しつつ、上記インストルメントパネルに垂直な方向の荷重に対する強度を充分に確保することができる。上記角度が７°未満の場合には、上記リブ部又はボス部と上記インストルメントパネルとの接続面が大きくなり、ヒケ発生の抑制が困難となるおそれがある。一方、上記角度が４５°を超える場合には、リブ係合の強度を充分に得ることが困難となり、上記荷重に対する強度を充分確保することが困難となるおそれがある。
【００２１】
また、上記リブ部は断面略十字形状を有することが好ましい（請求項３）。
この場合には、断面積を小さくしつつ強度の高いリブ部を形成することができる。
また、上記リブ部の断面形状としては、例えば、略Ｔ字形状、略Ｉ字形状等とすることもできる。
【実施例】
【００２２】
（実施例１）
本発明の実施例にかかるインストルメントパネルへの補強部材取付構造につき、図１〜図７を用いて説明する。
上記補強部材取付構造は、図１〜図３に示すごとく、車両のインストルメントパネル１に、フランジ部２１を有する補強部材２を固定してなる。
【００２３】
上記インストルメントパネル１は、その裏側面１２に突出形成されたリブ部３及びビス留め用のボス部４を有する。
上記補強部材２のフランジ部２１は、上記ボス部４に締結するビス５を挿通させるビス穴２２と、上記リブ部３を挿通させるリブ穴２３とを有する。
そして、上記リブ部３を上記リブ穴２３に通すことによるリブ係合（図２）と、上記ビス穴２２に通した上記ビス５を上記ボス部４に螺合させることによるビス留め（図３）とによって、上記補強部材２を上記インストルメントパネル１に固定している。
【００２４】
そして、上記補強部材２は、インストルメントパネル１に固定されることにより、該インストルメントパネル１を補強している。
なお、補強部材２は、空調ダクトの一部を構成している。
また、図２、図３に示すごとく、上記リブ部３及びボス部４は、上記インストルメントパネル１に対して傾斜している。
上記リブ部３及びボス部４の上記インストルメントパネル１に対する角度は、７〜４５°である。
また、上記リブ部３及びボス部４は、全て互いに平行に形成されている。
【００２５】
また、図５に示すごとく、上記リブ部３は断面略十字形状を有し、図６に示すごとく、上記リブ穴２３は、上記リブ部３の断面形状の外接円に近似した丸穴形状を有する。そして、上記リブ部３は上記リブ穴２３に挿通して、上記リブ係合を構成する。
また、図４に示すごとく、上記リブ部３は、その先端部３１における角部に面取り部３１１を設け、上記リブ部３のリブ穴２３への挿通を容易にしている。
【００２６】
図１に示すごとく、上記リブ部３は、上記インストルメントパネル１において比較的剛性の高い部位、或いは目立ちやすい部位の裏側面に配設してある。一方、上記ボス部４は、上記インストルメントパネル１において比較的剛性の低い部位、或いは目立ち難い部位の裏側面に配設してある。
【００２７】
即ち、上記ボス部４は、図１に示すごとく、基本的には、上記インストルメントパネル１の周縁部付近であって補強部材の角部付近に相当する部分に形成されている。そして、上記インストルメントパネル１の中央部付近は、主に上記リブ部３を形成する。
【００２８】
また、図３に示すごとく、上記ボス部４の根元周辺には、上記インストルメントパネル１の厚みを部分的に小さくする肉盗み部１３を形成してある。該肉盗み部１３の深さについては、ヒケの発生を効果的に防ぐために最適な深さを、金型チューニングを行うことにより設定する。
【００２９】
また、上記ボス部４は、外径約８ｍｍ、内径約４．１ｍｍの円筒形状を有する。また、上記リブ部３は、厚み約１．２ｍｍ、幅約８ｍｍの板状体を互いに直交させたような断面略十字形状を有する。また、上記インストルメントパネル１の厚みは約３．５ｍｍである。また、上記補強部材２のフランジ部２１は、約０．８ｍｍの厚みの板状体が２枚重なって構成されている。
【００３０】
次に、本例の作用効果につき説明する。
上記補強部材取付構造においては、上記リブ係合（図２）と上記ビス留め（図３）との双方によって、上記インストルメントパネル１に補強部材２を固定しており、上記インストルメントパネル１には、ボス部４とリブ部３とを突出形成してある。
【００３１】
上記ボス部４は、上記ビス５を螺合させる必要上、ある程度大きい断面積を有する必要があるが、リブ部３は、ビス５を螺合させる必要がないため、比較的断面積を小さくすることができる。そのため、上記リブ部３については、断面積を小さくすることにより、インストルメントパネル１の意匠面１１におけるヒケの発生を抑制することができる。
【００３２】
上述のごとく、上記補強部材取付構造においては、上記リブ係合と上記ビス留めとの双方を利用しているため、上記インストルメントパネル１に形成するボス部４の数を少なくすることができる。即ち、ヒケの発生の要因となり易いボス部４の数を少なくすることができる。
【００３３】
そして、図１に示すごとく、上記インストルメントパネル１における比較的目立ち難い部分の裏側面１２を選択して、上記ボス部４を配置することにより、ヒケの目立たないインストルメントパネル１の意匠面１１を得ることができる。
また、図３に示すごとく、上記ボス部４の根元周辺に肉盗み部１３を形成することにより、ヒケの抑制を図ることもできる。この場合、上記ボス部４の数が少ないため、肉盗み部１３の形成のためのチューニング等が比較的容易となる。
【００３４】
また、リブ係合とビス留めとを併用しているため、上記補強部材２の周縁部付近など、大きい固定力が必要な部分に上記ビス留めを行うことにより、強度の高いインストルメントパネルへの補強部材取付構造を得ることができる。
【００３５】
また、上記リブ部３及びボス部４は、上記インストルメントパネル１に対して傾斜しているため、上記リブ係合によって、インストルメントパネル１に垂直な方向の荷重に対する強度を高くすることができる。
また、上記リブ部３及びボス部４は、全て互いに平行に形成されているため、成形時における脱型作業が容易となり、上記インストルメントパネル１の成形を比較的容易に行うことができる。また、上記インストルメントパネル１への補強部材２の取付作業を比較的容易に行うことができる。
【００３６】
また、上記リブ部３及びボス部４の上記インストルメントパネル１に対する角度は、７〜４５°であるため、ヒケの発生を充分に抑制しつつ、インストルメントパネル１に垂直な方向の荷重に対する強度を充分に確保することができる。
また、図５に示すごとく、上記リブ部３は断面略十字形状を有するため、断面積を小さくしつつ強度の高いリブ部３を形成することができる。
【００３７】
以上のごとく、本例によれば、ヒケが目立たず、外観意匠性に優れたインストルメントパネルの意匠面を得ることができるインストルメントパネルへの補強部材取付構造を提供することができる。
【図面の簡単な説明】
【００３８】
【図１】実施例における、インストルメントパネルへの補強部材取付構造の斜視図。
【図２】実施例における、リブ部周辺のインストルメントパネルへの補強部材取付構造の断面図。
【図３】実施例における、ボス部周辺のインストルメントパネルへの補強部材取付構造の断面図。
【図４】実施例における、リブ部の斜視図。
【図５】実施例における、リブ部の断面斜視図。
【図６】実施例における、リブ穴の斜視図。
【図７】実施例における、リブ部の先端部側から見たリブ係合の説明図。
【図８】従来例における、ボス部を形成したインストルメントパネルの斜視図。
【図９】従来例における、ボス部周辺のインストルメントパネルへのダクト取付構造の断面図。
【図１０】従来例における、肉盗み部を設けたボス部周辺のインストルメントパネルの断面図。
【符号の説明】
【００３９】
１  インストルメントパネル
１１  意匠面
１２  裏側面
２  補強部材
２１  フランジ部
２２  ビス穴
２３  リブ穴
３  リブ部
４  ボス部
５  ビス
【図１】
2005193821.tif 000003
【図２】
2005193821.tif 000004
【図３】
2005193821.tif 000005
【図４】
2005193821.tif 000006
【図５】
2005193821.tif 000007
【図６】
2005193821.tif 000008
【図７】
2005193821.tif 000009
【図８】
2005193821.tif 000010
【図９】
2005193821.tif 000011
【図１０】
2005193821.tif 000012